(57)【要約】【課題】チャットを活発化することを可能とするメッセンジャ・サーバ及びメッセンジャ・クライアントを提供する。【解決手段】メッセンジャ・サーバは、チャットへの参加状態が所定の条件を満たしたメッセンジャ・クライアントにプレミアムを付与する。全ての参加しているメッセンジャ・クライアントが保有するプレミアムは、プレミアム・リスト１２１に表示される。また、プレミアムは、アイコン・メニュー１２３をクリックしたときに表示されるプレミアム・リスト１２４から選択することによりチャット文中に挿入することができる。また、プレミアムはメッセンジャ・クライアント間で、転送又は交換することが可能である。【選択図】        図５
2004295570.tif 000002
【特許請求の範囲】
【請求項１】
メッセンジャ・クライアントのチャットへの参加状態を測定する測定手段と、
前記参加状態が所定の条件を満たしたか否かを判断する判断手段と、
前記メッセンジャ・クライアントの前記チャットへの前記参加状態が前記所定の条件を満たしたならば、前記メッセンジャ・クライアントにプレミアムを付与する付与手段と、
を備えることを特徴とするメッセンジャ・サーバ。
【請求項２】
請求項１に記載のメッセンジャ・サーバにおいて、前記所定の条件は、入力した文字数が所定値に達したこと、入力したチャット文の数が所定値に達したこと、チャット文に挿入したプレミアムの数が所定値に達したこと、所定のキーワードを用いたこと、参加している時期や時間が所定の条件を満たしていること、参加人数が所定数以上であること、参加回数が所定数以上であることのうちの少なくとも１つを含むことを特徴とするメッセンジャ・サーバ。
【請求項３】
請求項１に記載のメッセンジャ・サーバにおいて、
前記プレミアムは、ファイル化されており、前記プレミアムの付与は前記プレミアムを表わしたファイルの送信であることを特徴とするメッセンジャ・サーバ。
【請求項４】
請求項１に記載のメッセンジャ・サーバにおいて、
前記プレミアムは、チャット文中に挿入可能な絵文字であることを特徴とするメッセンジャ・サーバ。
【請求項５】
請求項４に記載のメッセンジャ・サーバにおいて、
前記プレミアムは、ファイル化されており、前記チャット文中への前記プレミアムへの挿入は、チャット文と共に送信される前記ファイルにより表わされるプレミアムのビットマップの挿入であることを特徴とするメッセンジャ・サーバ。
【請求項６】
請求項１に記載のメッセンジャ・サーバにおいて、
各メッセンジャ・クライアントに付与された各プレミアムを複数のチャットクライアントのチャット画面に表示するための表示手段を更に備えることを特徴とするメッセンジャ・サーバ。
【請求項７】
請求項６に記載のメッセンジャ・サーバにおいて、
前記表示手段は、各メッセンジャ・クライアントに該各メッセンジャ・クライアントが保有するプレミアムを問い合わせる問合せ手段と、
各メッセンジャ・クライアントから該各メッセンジャ・クライアントが保有するプレミアムに関する情報を受信する受信手段と、
前記受信したプレミアムに関する情報を複数のメッセンジャ・クライアントに通知する通知手段と、
を備えることを特徴とするメッセンジャ・サーバ。
【請求項８】
プレミアムのファイルをメッセンジャ・サーバから受信する受信手段と、
前記プレミアムのファイルを格納する格納手段と、
格納されたプレミアムのファイルにより表わされるビットマップを表示する表示手段と、
選択されたプレミアムのファイルをチャット文中に挿入する挿入手段と、
前記挿入されたプレミアムのファイルを前記チャット文と共に送信する送信手段と、
を備えることを特徴とするメッセンジャ・クライアント。
【請求項９】
プレミアムのファイルをメッセンジャ・サーバから受信する受信手段と、
前記プレミアムのファイルを格納する格納手段と、
格納されたプレミアムのファイルにより表わされるビットマップを表示する表示手段と、
選択されたプレミアムのファイルを他のメッセンジャ・クライアントに送信する送信手段を備えることを特徴とするメッセンジャ・クライアント。
【請求項１０】
プレミアムのファイルをメッセンジャ・サーバから受信する受信手段と、
前記プレミアムのファイルを格納する格納手段と、
格納されたプレミアムのファイルにより表わされるビットマップを表示する表示手段と、
自メッセンジャ・クライアントの保有するプレミアムのうちの選択されたプレミアムのファイルと他のメッセンジャ・クライアントの保有するプレミアムのうちの選択されたプレミアムのファイルを前記他のメッセンジャ・クライアントとの間で交換する交換手段を備えることを特徴とするメッセンジャ・クライアント。
【請求項１１】
請求項１０に記載のメッセンジャ・クライアントにおいて、
前記交換手段は、自メッセンジャ・クライアントの保有するプレミアムのうちの自メッセンジャ・クライアントにおいて選択されたプレミアムと自メッセンジャ・クライアントの保有するプレミアムのうちの前記他のメッセンジャ・クライアントにおいて選択されたプレミアムとが一致し、且つ、前記他のメッセンジャ・クライアントの保有するプレミアムのうちの自メッセンジャ・クライアントにおいて選択されたプレミアムと前記他のメッセンジャ・クライアントの保有するプレミアムのうちの前記他のクライアントにおいて選択されたプレミアムとが一致したときにのみ前記交換を行うことを特徴とするメッセンジャ・クライアント。
【請求項１２】
請求項１０に記載のメッセンジャ・クライアントにおいて、
前記交換手段は、一方のメッセンジャ・クライアントが送信プレミアムと受信プレミアムを交換目的のプレミアムとする交換の提示をした場合において、他方のメッセンジャ・クライアントがその提示を受諾したときに交換を行うことを特徴とするメッセンジャ・クライアント。
【請求項１３】
メッセンジャ・クライアントのチャットへの参加状態を測定する測定ステップと、
前記参加状態が所定の条件を満たしたか否かを判断する判断ステップと、
前記メッセンジャ・クライアントの前記チャットへの前記参加状態が前記所定の条件を満たしたならば、前記メッセンジャ・クライアントにプレミアムを付与する付与ステップと、
を備えることを特徴とするプレミアム付与方法。
【請求項１４】
請求項１３に記載のプレミアム付与方法において、前記所定の条件は、入力した文字数が所定値に達したこと、入力したチャット文の数が所定値に達したこと、チャット文に挿入したプレミアムの数が所定値に達したこと、所定のキーワードを用いたこと、参加している時期や時間が所定の条件を満たしていること、参加人数が所定数以上であること、参加回数が所定数以上であることのうちの少なくとも１つを含むことを特徴とするプレミアム付与方法。
【請求項１５】
請求項１３に記載のプレミアム付与方法において、
前記プレミアムは、ファイル化されており、前記プレミアムの付与は前記プレミアムを表わしたファイルの送信であることを特徴とするプレミアム付与方法。
【請求項１６】
請求項１３に記載のプレミアム付与方法において、
前記プレミアムは、チャット文中に挿入可能な絵文字であることを特徴とするプレミアム付与方法。
【請求項１７】
請求項１６に記載のプレミアム付与方法において、
前記プレミアムは、ファイル化されており、前記チャット文中への前記プレミアムへの挿入は、チャット文と共に送信される前記ファイルにより表わされるプレミアムのビットマップの挿入であることを特徴とするプレミアム付与方法。
【請求項１８】
請求項１３に記載のプレミアム付与方法において、
各メッセンジャ・クライアントに付与された各プレミアムを複数のチャットクライアントのチャット画面に表示するための表示ステップを更に備えることを特徴とするプレミアム付与方法。
【請求項１９】
請求項１８に記載のプレミアム付与方法において、
前記表示ステップは、各メッセンジャ・クライアントに該各メッセンジャ・クライアントが保有するプレミアムを問い合わせる問合せステップと、
各メッセンジャ・クライアントから該各メッセンジャ・クライアントが保有するプレミアムに関する情報を受信する受信ステップと、
前記受信したプレミアムに関する情報を複数のメッセンジャ・クライアントに通知する通知ステップと、
を備えることを特徴とするプレミアム付与方法。
【請求項２０】
プレミアムのファイルをメッセンジャ・サーバから受信する受信ステップと、
前記プレミアムのファイルを格納する格納ステップと、
格納されたプレミアムのファイルにより表わされるビットマップを表示する表示ステップと、
選択されたプレミアムのファイルをチャット文中に挿入する挿入ステップと、
前記挿入されたプレミアムのファイルを前記チャット文と共に送信する送信ステップと、
を備えることを特徴とするプレミアム処理方法。
【請求項２１】
プレミアムのファイルをメッセンジャ・サーバから受信する受信ステップと、
前記プレミアムのファイルを格納する格納ステップと、
格納されたプレミアムのファイルにより表わされるビットマップを表示する表示ステップと、
選択されたプレミアムのファイルを他のメッセンジャ・クライアントに送信する送信ステップを備えることを特徴とするプレミアム処理方法。
【請求項２２】
プレミアムのファイルをメッセンジャ・サーバから受信する受信ステップと、
前記プレミアムのファイルを格納する格納ステップと、
格納されたプレミアムのファイルにより表わされるビットマップを表示する表示ステップと、
自メッセンジャ・クライアントの保有するプレミアムのうちの選択されたプレミアムのファイルと他のメッセンジャ・クライアントの保有するプレミアムのうちの選択されたプレミアムのファイルを前記他のメッセンジャ・クライアントとの間で交換する交換ステップを備えることを特徴とするプレミアム処理方法。
【請求項２３】
請求項２２に記載のプレミアム処理方法において、
前記交換ステップは、自メッセンジャ・クライアントの保有するプレミアムのうちの自メッセンジャ・クライアントにおいて選択されたプレミアムと自メッセンジャ・クライアントの保有するプレミアムのうちの前記他のメッセンジャ・クライアントにおいて選択されたプレミアムとが一致し、且つ、前記他のメッセンジャ・クライアントの保有するプレミアムのうちの自メッセンジャ・クライアントにおいて選択されたプレミアムと前記他のメッセンジャ・クライアントの保有するプレミアムのうちの前記他のクライアントにおいて選択されたプレミアムとが一致したときにのみ前記交換を行うことを特徴とするプレミアム処理方法。
【請求項２４】
請求項２３に記載のプレミアム処理方法において、
前記交換手段は、一方のメッセンジャ・クライアントが送信プレミアムと受信プレミアムを交換目的のプレミアムとする交換の提示をした場合において、他方のメッセンジャ・クライアントがその提示を受諾したときに交換を行うことを特徴とするプレミアム処理方法。
【発明の詳細な説明】
【０００１】
【発明の属する技術分野】
本発明は、インターネット又はパソコン通信等を利用してチャット、ファイル転送等を行うためのメッセンジャ・サーバ及びメッセンジャ・クライアントに関する。
【０００２】
【従来の技術】
以前からパソコン通信を用いたチャットが一部のパソコン好きの人々の間で普及していたが、近年になってインターネットが普及してきたのに伴い、一般の人々もメッセンジャ・クライアントを用いてチャットやファイル交換を行うようになってきた。メッセンジャ・クライアントは、通常は、ＴＣＰ／ＩＰ上で独自のプロトコルを用いて、メッセンジャ・サーバや他のメッセンジャ・クライアントと通信を行う。
【０００３】
図１５に従来のメッセンジャ・クライアントを用いたチャットの画面を示す。チャットへの参加者は参加者リスト１０１に一覧表示される。各参加者は、書き込みたいチャット文を入力ボックス１０２に入力し、「送信」ボタン１０３を押す。そうすると、メッセンジャ・クライアントはメッセンジャ・サーバにそのチャット文を送信し、サーバは全ての参加しているメッセンジャ・クライアントにそのチャット文を送信する。このようにして、各メッセンジャ・クライアントの掲示画面１０４には、全ての参加しているメッセンジャ・クライアントが送信した全てのチャット文が表示される。
【０００４】
また、アイコン・メニュー１０５をクリックすると絵文字のポップアップ・メニュー１０６が表示され、ポップアップ・メニュー１０６から選択した絵文字をチャット文中に挿入することも可能である。図１５の例では、ａｋｉｒａの最後のチャット文とｔｕｙｏｓｉの最後のチャット文に絵文字が挿入されている。なお、図１５の例では、説明のために送信済みのチャット文も入力ボックス１０２に記入しているが、実際には、送信されたチャット文は入力ボックス１０２から削除される。他の同様の画面の図についても同様である。
【０００５】
また、図１５の画面では、チャットを行う人数に制限はないが、二人のみで行うチャットもある。例えば、ａｋｉｒａが参加者リスト１０１に表示されているｍａｓａｒｕをダブルクリックすると、図１６に示すようなａｋｉｒａとｍａｓａｒｕの二人のみのチャットの画面が表示される。入力ボックス１０２、「送信」ボタン１０３、アイコン・メニュー１０５、ポップアップ・メニュー１０６は図１５に示す画面のものと同様である。掲示画面１０７には、ａｋｉｒａとｍａｓａｒｕの二人のみのチャット文が表示される。また、図１５に示す画面の場合と同様に、アイコン・メニュー１０５及びポップアップ・メニュー１０６を用いてチャット文中に絵文字を挿入することが可能である。図１６の例では、ａｋｉｒａの第２のチャット文に絵文字が挿入されている。
【０００６】
また、メッセンジャ・クライアントは、ファイル送信をすることも可能である。図１７にファイル送信のための画面を示す。送信元の欄１１１には自己のニックネームが自動挿入される。送信先の欄１１２には、例えば、図１５の画面の参加者リスト１０１から選択されたニックネーム又はユーザがキー入力したニックネーム等が挿入される。ユーザが、「参照」ボタン１１３を押すと、ファイル選択のためのダイアログ画面（図示せず）が表示されるので、そのダイアログ画面でユーザは相手に送信したいファイルを選択する。そうすると、選択されたファイルの名称が送信ファイル欄１１４に挿入される。この状態でユーザが「送信」ボタン１１５を押すと、選択されたファイルが送信先のニックネームに対応したメッセンジャ・クライアントに送信される。
【０００７】
このようにして、メッセンジャ・クライアントを用いて、多数ユーザの間のチャット又は二人の間のチャット若しくはファイル送信等を行うことが可能である。そして、チャット文に絵文字を挿入することが可能である。
【０００８】
なお、本発明に関連する発明としては、チャット画面に表示するキャラクタを変化させる発明がある（例えば、特許文献１、特許文献２）。
【０００９】
【特許文献１】
特開２００１−３０６４７６公報
【特許文献２】
特開２００２−２３６６５６公報
【００１０】
【発明が解決しようとする課題】
しかしながら、上記の従来技術では、絵文字はポップ・アップメニューから選択できるのみであり、予め与えられている。関連発明においては、チャットの画面にキャラクタを表示し、そのキャラクタ自身を変化させることはあっても、各ユーザが予めキャラクタを保有しており、各ユーザが保有するキャラクタを発生、移動又は消滅させることはできない。
【００１１】
従って、せっかくチャットにキャラクタを導入しても、キャラクタはさほどチャットを盛り上げることはなかった。従って、チャットでは、散発的に会話がなされるのみであることが間々ある。
【００１２】
そこで、本発明は、チャットを活発化することを可能とするメッセンジャ・サーバ及びメッセンジャ・クライアントを提供することを目的とする。
【００１３】
【課題を解決するための手段】
本発明の第１の観点によれば、メッセンジャ・クライアントのチャットへの参加状態を測定する測定手段と、前記参加状態が所定の条件を満たしたか否かを判断する判断手段と、前記メッセンジャ・クライアントの前記チャットへの前記参加状態が前記所定の条件を満たしたならば、前記メッセンジャ・クライアントにプレミアムを付与する付与手段と、を備えることを特徴とするメッセンジャ・サーバが提供される。
【００１４】
上記のメッセンジャ・サーバにおいて、前記所定の条件は、入力した文字数が所定値に達したこと、入力したチャット文の数が所定値に達したこと、チャット文に挿入したプレミアムの数が所定値に達したこと、所定のキーワードを用いたこと、参加している時期や時間が所定の条件を満たしていること、参加人数が所定数以上であること、参加回数が所定数以上であることのうちの少なくとも１つを含んでいてもよい。
【００１５】
上記のメッセンジャ・サーバにおいて、前記プレミアムは、ファイル化されており、前記プレミアムの付与は前記プレミアムを表わしたファイルの送信であってもよい。
【００１６】
上記のメッセンジャ・サーバにおいて、前記プレミアムは、チャット文中に挿入可能な絵文字であってもよい。
【００１７】
上記のメッセンジャ・サーバにおいて、前記プレミアムは、ファイル化されており、前記チャット文中への前記プレミアムへの挿入は、チャット文と共に送信される前記ファイルにより表わされるプレミアムのビットマップの挿入であってもよい。
【００１８】
上記のメッセンジャ・サーバは、各メッセンジャ・クライアントに付与された各プレミアムを複数のチャットクライアントのチャット画面に表示するための表示手段を更に備えていてもよい。
【００１９】
上記のメッセンジャ・サーバにおいて、前記表示手段は、各メッセンジャ・クライアントに該各メッセンジャ・クライアントが保有するプレミアムを問い合わせる問合せ手段と、各メッセンジャ・クライアントから該各メッセンジャ・クライアントが保有するプレミアムに関する情報を受信する受信手段と、前記受信したプレミアムに関する情報を複数のメッセンジャ・クライアントに通知する通知手段と、を備えていてもよい。
【００２０】
本発明の第２の観点によれば、プレミアムのファイルをメッセンジャ・サーバから受信する受信手段と、前記プレミアムのファイルを格納する格納手段と、格納されたプレミアムのファイルにより表わされるビットマップを表示する表示手段と、選択されたプレミアムのファイルをチャット文中に挿入する挿入手段と、前記挿入されたプレミアムのファイルを前記チャット文と共に送信する送信手段と、を備えることを特徴とするメッセンジャ・クライアントが提供される。
【００２１】
本発明の第３の観点によれば、プレミアムのファイルをメッセンジャ・サーバから受信する受信手段と、前記プレミアムのファイルを格納する格納手段と、格納されたプレミアムのファイルにより表わされるビットマップを表示する表示手段と、選択されたプレミアムのファイルを他のメッセンジャ・クライアントに送信する送信手段を備えることを特徴とするメッセンジャ・クライアントが提供される。
【００２２】
本発明の第４の観点によれば、プレミアムのファイルをメッセンジャ・サーバから受信する受信手段と、前記プレミアムのファイルを格納する格納手段と、格納されたプレミアムのファイルにより表わされるビットマップを表示する表示手段と、自メッセンジャ・クライアントの保有するプレミアムのうちの選択されたプレミアムのファイルと他のメッセンジャ・クライアントの保有するプレミアムのうちの選択されたプレミアムのファイルを前記他のメッセンジャ・クライアントとの間で交換する交換手段を備えることを特徴とするメッセンジャ・クライアントが提供される。
【００２３】
本発明の第４の観点によるメッセンジャ・クライアントにおいて、前記交換手段は、自メッセンジャ・クライアントの保有するプレミアムのうちの自メッセンジャ・クライアントにおいて選択されたプレミアムと自メッセンジャ・クライアントの保有するプレミアムのうちの前記他のメッセンジャ・クライアントにおいて選択されたプレミアムとが一致し、且つ、前記他のメッセンジャ・クライアントの保有するプレミアムのうちの自メッセンジャ・クライアントにおいて選択されたプレミアムと前記他のメッセンジャ・クライアントの保有するプレミアムのうちの前記他のクライアントにおいて選択されたプレミアムとが一致したときにのみ前記交換を行ってもよい。
【００２４】
【発明の実施の形態】
本発明は、メッセンジャ・クライアントのチャットへの参加状況が所定の条件を満たしたならば、そのメッセンジャ・クライアントにプレミアムを与えるものである。そして、そのプレミアムをメッセンジャ・クライアント間で複製、移動又は交換できるようにするものである。
【００２５】
図１に本発明の実施形態によるメッセンジャ・サーバ及びメッセンジャ・クライアントを含むチャットシステムの構成を示す。図１を参照すると、メッセンジャ・サーバ２０１並びにメッセンジャ・クライアント２０２−１、２０２−２及び２０２−ｎは相互にインターネット等のネットワーク２０５により接続されている。メッセンジャ・サーバ２０１は、従来のメッセンジャ・サーバの機能を備え、メッセンジャ・クライアント２０２−１、２０２−２及び２０２−ｎは従来のメッセンジャ・クライアントの機能を備えている。データベース２０４はメッセンジャ・サーバ２０１と接続される。
【００２６】
次に、メッセンジャ・サーバ２０１がメッセンジャ・クライアント２０２にプレミアムを付与する方法について図２を参照して説明する。
【００２７】
図２を参照すると、メッセンジャ・サーバ２０１は、チャット付与のためのステップＳ３０２及びＳ３０３をチャットに参加中の全てのメッセンジャ・クライアント２０２について繰り返す（ステップＳ３０１）。
【００２８】
ステップＳ３０２では、現在のメッセンジャ・クライアント２０２が少なくとも１つのプレミアム発生条件を満たしたか否かを判断する。ステップＳ３０２の判断結果が肯定的であれば、ステップＳ３０３に進み、現在のメッセンジャ・クライアント２０２に、発生した数のプレミアムを送信し、次のメッセンジャ・クライアント２０２についての処理に進む。ステップＳ３０２の判断結果が否定的であれば、ステップＳ３０３をスキップして、次のメッセンジャ・クライアント２０２についての処理に進む。
【００２９】
次に、ステップＳ３０２の詳細について図３を参照して説明する。
【００３０】
図３を参照すると、まず、結果を「偽」に初期化する（ステップＳ３０６）。次に、発生プレミアム数を０に初期化する（ステップＳ３０７）。
【００３１】
次に、条件１に関連した測定又は計算を行う（ステップＳ３０８−１）。条件１が、例えば、入力した文字数が所定値を超えたことであれば、最後にステップＳ３０８−１を実行してから現在までにメッセンジャ・クライアント２０２が入力した文字数を数え、数えた文字数を最後にステップＳ３０８−１を実行したときに得られた入力文字数の累計値（これはメッセンジャ・クラインアントをキーとしてデータベース２０４から読み込む。）に加算し、その加算値を新たな入力文字数の累計値とする。最後にステップＳ３０８−１を実行してから現在までにメッセンジャ・クライアント２０２が入力した文字数の計測は別プロセスにより継続的に行うようにする。新たな累計値は、現在のメッセンジャ・クライアントと関連付けてデータベース２０４に格納する。次に、条件１が満たされたか否かを判断する（ステップＳ３０９−１）。条件１が、例えば、入力した文字数が所定値を超えたことであれば、その条件が満たされたか否かを判断する。ステップＳ３０９−１の判断結果が肯定的であれば、ステップＳ３１０−１〜Ｓ３１２−１を行い、ステップＳ３０９−１の判断結果が否定的であればステップＳ３１０−１〜Ｓ３１２−１をスキップして、ステップＳ３０８−２に進む。
【００３２】
ステップＳ３１０−１では、結果を「真」にする。ステップＳ３１１−１では、プレミアム数を１だけ増やす。ステップＳ３１２−１では、条件１についての初期化処理を行う。条件１が、例えば、入力した文字数が所定値を超えたことであれば、ステップＳ３０８−１で更新された累積値からその所定値を差し引く。差し引いた後の累計値は、現在のメッセンジャ・クライアントと関連付けてデータベース２０４に格納する。ステップＳ３１２−１からはステップＳ３０８−２に進む。
【００３３】
ステップＳ３０８−２では、条件２に関連した測定又は計算を行う。条件２が、例えば、入力したチャット文の数が所定値を超えたことであれば、最後にステップＳ３０８−２を実行してから現在までにメッセンジャ・クライアント２０２が入力したチャット文の数を数え、数えたチャット文の数を最後にステップＳ３０８−２を実行したときに得られたチャット文の数の累計値（これはメッセンジャ・クラインアントをキーとしてデータベース２０４から読み込む。）に加算し、その加算値を新たなチャット文の数の累計値とする。最後にステップＳ３０８−２を実行してから現在までにメッセンジャ・クライアント２０２が入力したチャット文の数の計測は別プロセスにより継続的に行う。新たな累計値は、現在のメッセンジャ・クライアントと関連付けてデータベース２０４に格納する。次に、条件２が満たされたか否かを判断する（ステップＳ３０９−２）。条件２が、例えば、入力したチャット文の数が所定値を超えたことであれば、その条件が満たされたか否かを判断する。ステップＳ３０９−２の判断結果が肯定的であれば、ステップＳ３１０−２〜Ｓ３１２−２を行い、ステップＳ３０９−２の判断結果が否定的であればステップＳ３１０−２〜Ｓ３１２−２をスキップして、ステップＳ３０８−３に進む。
【００３４】
ステップＳ３１０−２では、結果を「真」にする。ステップＳ３１１−２では、プレミアム数を１だけ増やす。ステップＳ３１２−２では、条件２についての初期化処理を行う。条件２が、例えば、入力したチャット文の数が所定値を超えたことであれば、ステップＳ３０８−２で更新された累積値からその所定値を差し引く。差し引いた後の累計値は、現在のメッセンジャ・クライアントと関連付けてデータベース２０４に格納する。ステップＳ３１２−２からはステップＳ３０８−３に進む。
【００３５】
同様なことをそれぞれの条件について繰り返した後、ステップＳ３０８−Ｃでは、条件Ｃに関連した測定又は計算を行う。条件Ｃが、例えば、チャット文に挿入したプレミアムの数が所定値を超えたことであれば、最後にステップＳ３０８−Ｃを実行してから現在までにメッセンジャ・クライアント２０２がチャット文に挿入したプレミアムの数を数え、数えたプレミアムの数を最後にステップＳ３０８−Ｃを実行したときに得られたプレミアムの数の累計値（これはメッセンジャ・クラインアントをキーとしてデータベース２０４から読み込む。）に加算し、その加算値を新たなプレミアムの数の累計値とする。最後にステップＳ３０８−Ｃを実行してから現在までにメッセンジャ・クライアント２０２がチャット文に挿入したプレミアムの数の計測は別プロセスにより継続的に行う。新たな累計値は、現在のメッセンジャ・クライアントと関連付けてデータベース２０４に格納する。次に、条件Ｃが満たされたか否かを判断する（ステップＳ３０９−Ｃ）。条件Ｃが、例えば、チャット文に挿入したプレミアムの数が所定値を超えたことであれば、その条件が満たされたか否かを判断する。ステップＳ３０９−Ｃの判断結果が肯定的であれば、ステップＳ３１０−Ｃ〜Ｓ３１２−Ｃを行い、ステップＳ３０９−Ｃの判断結果が否定的であればステップＳ３１０−Ｃ〜Ｓ３１２−Ｃをスキップして、ステップＳ３０２の処理全体を終了する。
【００３６】
ステップＳ３１０−Ｃでは、結果を「真」にする。ステップＳ３１１−Ｃでは、プレミアム数を１だけ増やす。ステップＳ３１２−Ｃでは、条件Ｃについての初期化処理を行う。条件Ｃが、例えば、チャット文に挿入したプレミアムの数が所定値を超えたことであれば、ステップＳ３０８−Ｃで更新された累積値からその所定値を差し引く。差し引いた後の累計値は、現在のメッセンジャ・クライアントと関連付けてデータベース２０４に格納する。ステップＳ３１２−Ｃを終了したならば、ステップＳ３０２の処理全体を終了する。
【００３７】
なお、ステップＳ３０８−２〜Ｓ３１２−Ｃを削除し、ステップＳ３０９−１で、条件１、条件２、…、条件Ｃの全ての条件が満たされたか否かを判断する様にしてもよい。
【００３８】
また、条件１、条件２、…、条件Ｃとして、上記の条件の他に、所定のキーワードを用いたか否か、参加している時期や時間が所定の条件を満たしたか否か、参加人数が所定数以上であるか否か、参加回数が所定数以上であるか否か等の条件を用いてもよい。
【００３９】
また、ステップＳ３０３で送信するプレミアムの種類は、予めメッセンジャ・クライアント２０２から指定のあったものであってもよいし、メッセンジャ・サーバ２０１がランダムに決定したものであってもよい。また、送信するプレミアムの種類は、満たした条件に依存してもよい。また、送信するプレミアムに、メッセンジャ・クライアント２０２のユーザのニックネーム、誕生日、似顔絵等を挿入してもよい。このためには、データベース２０４にユーザと関連付けてユーザのニックネーム、誕生日、似顔絵等を登録しておく。プレミアムを予めメッセンジャ・クライアント２０２に用意しておくのではなく、メッセンジャ・サーバ２０１がその都度プレミアムを生成して、そのファイルをメッセンジャ・クライアント２０２に送信するようにしているので、プレミアムのデザインを自由に作成することができる。
【００４０】
図４を参照すると、各メッセンジャ・クライアント２０２は、常時プレミアムを受信したか否かを判断し（ステップＳ３２１）、そうであれば、受信したプレミアムを保存する（ステップＳ３２２）。
【００４１】
メッセンジャ・サーバ２０１が送信するプレミアムは、例えば、ビットマップファイル（ＢＭＰファイル）、ＧＩＦファイル、ＴＩＦＦファイル、ＪＰＧファイル等に画像ファイル化されており、プレミアムの送信とはそのファイルの送信のことである。また、メッセンジャ・クライアント２０２によるプレミアムの保存（ステップＳ３２２）とは、プレミアムのファイルの保存のことである。
【００４２】
次に、メッセンジャ・クライアント２０２について図５を参照して説明する。
【００４３】
図５は、メッセンジャ・クライアント２０２が表示する画面を示す。この画面は、図１５に示す従来のメッセンジャ・クライアント２０２が表示する画面と同様に、参加者リスト１０１、入力ボックス１０２、「送信」ボタン１０３、掲示画面１０４Ｂ、アイコン・メニュー１０５、ポップアップ・メニュー１０６を有する。但し、掲示画面１０４Ｂは、プレミアムも表示する点において掲示画面１０４と異なる。また、図５に示す画面は、プレミアム・リスト１２１を有し、このプレミアム・リスト１２１には、各参加者が保有するプレミアム１２２が表示される。更に、図５に示す画面は、プレミアムに関するアイコン・メニュー１２３を有し、このアイコン・メニュー１２３がクリックされると、ポップアップ・メニュー１２４が表示される。ポップアップ・メニュー１２４には、当該メッセンジャ・クライアント２０２が保有するプレミアム１２５が表示される。
【００４４】
メッセンジャ・クライアント２０２は、ポップアップ・メニュー１２４を表示するときには、ステップＳ３２２で保存した全てのプレミアムのファイルを読み込んで、そのファイルの内容に基づいてプレミアム１２５を表示する。
【００４５】
また、メッセンジャ・クライアント２０２は、メッセンジャ・サーバ２０１から現在チャットに参加している全てのメッセンジャ・クライアント２０２が保有するプレミアムの画像ファイルを受信し、それらの画像ファイルの内容に基づいて、プレミアム・リスト１２１に各メッセンジャ・クライアント２０２が保有するプレミアム１２２を表示する。
【００４６】
次に、プレミアム・リスト１２１へのプレミアム１２２の表示に関連したメッセンジャ・サーバ２０１とメッセンジャ・クライアント２０２の動作について図６を参照して説明する。
【００４７】
図６を参照すると、メッセンジャ・サーバ２０１は、ステップＳ３２７、Ｓ３２９及びＳ３３０の処理をチャットに参加している全てのメッセンジャ・クライアント２０２について繰り返す（ステップＳ３２６）。また、メッセンジャ・クライアント２０２も、メッセンジャ・サーバ２０１に連動して、ステップＳ３２８、Ｓ３３１、Ｓ３３２の動作をチャットに参加している全てのメッセンジャ・クライアント２０２について繰り返す（ステップＳ３２６）。
【００４８】
各繰返しにおいて、まず、メッセンジャ・サーバ２０１は、現在のメッセンジャ・クライアント２０２にそのメッセンジャ・クライアント２０２が保有しているプレミアムを問い合わせる（ステップＳ３２７）。この問合せに対し、現在のメッセンジャ・クライアント２０２は、そのメッセンジャ・クライアント２０２が現在保有している全てのプレミアムについての情報をメッセンジャ・サーバ２０１に送信し（ステップＳ３２８）、メッセンジャ・サーバ２０１はその情報を受信する（ステップＳ３２９）。次に、メッセンジャ・サーバ２０１は、現在のメッセンジャ・クライアント２０２が現在保有している全てのプレミアムについての情報を現在チャットに参加している全てのメッセンジャ・クライアント２０２に送信し（ステップＳ３３０）、現在チャットに参加している全てのメッセンジャ・クライアント２０２は、その情報を受信する（ステップＳ３３１）。次に、全てのクライアント２０２は、現在のメッセンジャ・クライアント２０２が保有している全てのプレミアムについての情報に基づいて、現在のメッセンジャ・クライアント２０２が保有している全てのプレミアムをプレミアム・リスト１２１に表示する（ステップＳ３３２）。
【００４９】
なお、現在のメッセンジャ・クライアント２０２が現在保有している全てのプレミアムに関する情報は、現在のメッセンジャ・クライアント２０２が現在保有している全てのプレミアムの画像ファイルであってよいが、例えば、不正なメッセンジャ・クライアントが不正にプレミアムを入手することを防止するために、解像度を落としたビットマップや別画像のビットマップ、或いは、プレミアムの名称であってもよい。
【００５０】
次に、チャット文へのプレミアムの挿入とプレミアムが挿入されたチャット文の送信について説明する。
【００５１】
図５を参照すると、ユーザは、入力ボックス１０２に文字を入力している最中に、プレミアムを挿入したい場合に、アイコン・メニュー１２３をクリックする。すると、プレミアム１２５を含んだポップアップ・メニュー１２４が表示される。ユーザがポップアップ・メニュー１２４から所望のプレミアムを選択すると、チャット文中にそのプレミアムの絵文字がビットマップとして挿入される。送信されるチャット文のパケットは、図７に示すようなフォーマットを有している。図７を参照すると、このパケットは、ヘッダ４０１、キャラクタ・コード４０２、プレミアム・ファイル４０３−１及び４０３−２並びにエンダ４０４より成る。キャラクタ・コード４０２中のプレミアムが挿入される位置には、プレミアム参照の識別子とプレミアム・ファイル名が記述され、これによりプレミアム・ファイルが参照される。チャット文を画面を表示する際には、キャラクタ・コードに従って各文字を表示すると共に、プレミアム参照の識別子とプレミアム・ファイル名の組が検出されたならば、そのプレミアム・ファイル名のファイルを読み込んで、そのファイルにより表わされる画像のビットマップを文字間に表示する。
【００５２】
なお、チャット文中に挿入するプレミアム・ファイル４０３−１及び４０３−２は、メッセンジャ・クライアント２０２が保有しているプレミアムの画像ファイルであってよいが、例えば、不正なメッセンジャ・クライアントが不正にプレミアムを入手することを防止するために、解像度を落としたビットマップや別画像のビットマップであってもよい。
【００５３】
二人のみで行うチャットの画面を図８に示す。この画面は、図１５に示す従来のメッセンジャ・クライアント２０２が表示する画面と同様に、入力ボックス１０２、「送信」ボタン１０３、掲示画面１０７Ｂを有する。但し、掲示画面１０７Ｂは、プレミアムも表示する点において掲示画面１０７と異なる。図８に示す画面は、プレミアムに関するアイコン・メニュー１２３を有し、このアイコン・メニュー１２３がクリックされると、ポップアップ・メニュー１２４が表示される。ポップアップ・メニュー１２４には、当該メッセンジャ・クライアント２０２が保有するプレミアム１２５が表示される。
【００５４】
ユーザは、図５に示す画面の場合と同様に、図８の画面を用いてプレミアムが挿入されたチャット文を入力し、送信することができる。送信されるチャット文のフォーマットは、図７に示すとおりである。
【００５５】
また、メッセンジャ・クライアント２０２は、自己が保有するプレミアムを他のメッセンジャ・クライアント２０２に送信することができる。これは、従来のメッセンジャ・クライアントのファイル送信機能を用いて実現することができる。ユーザがメニュー（図示せず）から「ファイル送信」を選択すると、メッセンジャ・クライアント２０２は、図９に示すようなダイアログ画面を表示する。送信元の欄１１１には自己のニックネームが自動挿入される。送信先１１２の欄には、例えば、図５の画面の参加者リスト１０１から選択されたニックネーム又はユーザがキー入力したニックネーム等が挿入される。ユーザが、「プレミアム参照」ボタン１３１を押すと、プレミアム選択のための図１０（ａ）に示すプレミアム・リストが表示されるので、そのプレミアム・リストでユーザは相手に送信したいプレミアムを選択する。そうすると、選択されたプレミアムのファイルの名称が送信ファイル欄１１４に挿入される。この状態でユーザが「送信」ボタン１１５を押すと、選択されたプレミアムのファイルが送信先のニックネームに対応したメッセンジャ・クライアントに送信される。
【００５６】
また、メッセンジャ・クライアント２０２は、自己が保有するプレミアムと他のメッセンジャ・クライアント２０２が保有するプレミアムを交換することができる。図１１に示す様なチャットの内容によりプレミアムの交換についての交渉が成立したとする。
【００５７】
ａｋｉｒａがメニュー（図示せず）から「プレミアム交換」を選択すると、メッセンジャ・クライアント２０２は、図１２（ａ）に示すようなダイアログ画面を表示する。送信元の欄１４１には自己のニックネームであるａｋｉｒａが自動挿入される。送信先の欄１４２には、現在の１対１で通信における相手のニックネームであるｔｕｙｏｓｉが自動挿入される。ａｋｉｒａが「プレミアム参照」ボタン１４３を押すと、メッセンジャ・クライアント２０２は、図１０（ａ）に示すプレミアム・リストを表示する。ユーザが送信したいプレミアムをこのプレミアム・リストで選択すると、送信ファイルの欄１４４には選択されたプレミアムのファイルの名称が代入される。同様に、ａｋｉｒａが「プレミアム参照」ボタン１４５を押すと、メッセンジャ・クライアント２０２は、図１０（ｂ）に示すプレミアム・リストを表示する。この表示のためには、メッセンジャ・クライアントは、相手のメッセンジャ・クライアントに、相手のメッセンジャ・クライアントが保有するプレミアムについての情報（簡易ビットマップ等）を得ておく。ユーザが送信したいプレミアムをこのプレミアム・リストで選択すると、受信ファイルの欄１４６には選択されたプレミアムのファイルの名称が代入される。ａｋｉｒａは、この状態で「交換」ボタン１４７を押す。
【００５８】
同様に、ｔｕｙｏｓｉがメニュー（図示せず）から「プレミアム交換」を選択すると、メッセンジャ・クライアント２０２は、図１２（ｂ）に示すようなダイアログ画面を表示する。送信元の欄１４１には自己のニックネームであるｔｕｙｏｓｉが自動挿入される。送信先の欄１４２には、現在の１対１で通信における相手のニックネームであるａｋｉｒａが自動挿入される。ｔｕｙｏｓｉが「プレミアム参照」ボタン１４３を押すと、メッセンジャ・クライアント２０２は、図１０（ｂ）に示すプレミアム・リストを表示する。ユーザが送信したいプレミアムをこのプレミアム・リストで選択すると、送信ファイルの欄１４４には選択されたプレミアムのファイルの名称が代入される。同様に、ｔｕｙｏｓｉが「プレミアム参照」ボタン１４５を押すと、メッセンジャ・クライアント２０２は、図１０（ａ）に示すプレミアム・リストを表示する。ユーザが送信したいプレミアムをこのプレミアム・リストで選択すると、受信ファイルの欄１４６には選択されたプレミアムのファイルの名称が代入される。ｔｕｙｏｓｉは、この状態で「交換」ボタン１４７を押す。
【００５９】
ａｋｉｒａが選択した送信プレミアムとｔｕｙｏｓｉが選択した受信プレミアムが一致し、ａｋｉｒａが選択した受信プレミアムとｔｕｙｏｓｉが選択した送信プレミアムが一致している場合には、両者が「交換」ボタン１４７を押した後に、両プレミアムの交換が行われる。
【００６０】
上記のプレミアムの交換方法を実現するためのメッセンジャ・クライアント２０２の動作について図１３を参照して説明する。
【００６１】
図１３を参照すると、まず、ユーザ１（例えば、ａｋｉｒａ）のメッセンジャ・クライアント２０２は、ユーザ１の操作により、図１２（ａ）に示す画面の「プレミアム参照」ボタン１４３及び図１０（ａ）に示すプレミアム・リストを用いて、送信するプレミアムのファイル名ＦＮ１を入力する（ステップＳ３４１−１）。次に、図１２（ａ）に示す画面の「プレミアム参照」ボタン１４５及び図１０（ｂ）に示すプレミアム・リストを用いて、受信するプレミアムのファイル名ＦＮ２を入力する（ステップＳ３４２−１）。なお、ユーザ２のプレミアムについての情報は、図１２（ａ）に示す画面を表示する際に取得してあるものとする。次に、ユーザ１が図１２（ａ）に示す画面の「交換」ボタン１４７を押したならば、ファイル名ＦＮ１及びＦＮ２を付記した交換メッセージをユーザ２（例えば、ｔｕｙｏｓｉ）のメッセンジャ・クライアントに送信する（ステップＳ３４３−１）。次に、ユーザ２のメッセンジャ・クライアントで選択された送信プレミアムのファイル名ＦＮ３及び受信プレミアムのファイル名ＦＮ４を付記した交換メッセージを他のメッセンジャ・クライアントから受信する（ステップＳ３４４−１）。なお、ステップＳ３４３−１及びステップＳ３４４−１の順序は逆転してもよい。
【００６２】
次に、ユーザ１のメッセンジャ・クライアント２０２は、ユーザ１の送信ファイル名ＦＮ１とユーザ２の受信ファイル名ＦＮ４が一致しているか否かを判断し（ステップＳ３４５−１）、一致していればステップＳ３４６−１に進み、一致していなければ処理を終了する。ユーザ１のメッセンジャ・クライアント２０２は、ステップＳ３４６−１では、ユーザ１の受信ファイル名ＦＮ２とユーザ２の送信ファイル名ＦＮ３が一致しているか否かを判断し、一致していればステップＳ３４７−１に進み、一致していなければ処理を終了する。ユーザ１のメッセンジャ・クライアント２０２は、ステップＳ３４７−１では、ファイルＦＮ１をユーザ２のメッセンジャ・クライアント２０２に送信する。次に、ユーザ１のメッセンジャ・クライアントは、ファイルＦＮ３をユーザ２のメッセンジャ・クライアント２０２から受信する（ステップＳ３４８−１）。なお、ステップＳ３４５−１及びステップＳ３４６−１で合意の確認が取れた後に、ユーザ１がファイルＦＮ１の送信を行わずに、ファイルＦＮ３の受信のみを行うような不正を行うことを回避するために、ユーザ１のメッセンジャ・クライアント２０２は、ステップＳ３４７−１の送信を行わなければ、ステップＳ３４８−１の受信を行うことができないようにしてもよい。
【００６３】
また、ステップＳ３４８−１を先に行い、ステップＳ３４７−１をその後に行うようにしてもよい。但し、この場合であっても、ステップＳ３４５−１及びステップＳ３４６−１で合意の確認が取れた後に、ユーザ１がファイルＦＮ１の送信を行わずに、ファイルＦＮ３の受信のみを行うような不正を行うことを回避するために、ユーザ１のメッセンジャ・クライアント２０２は、ステップＳ３４８−１を実行した時点では、受信したファイルＦＮ３を一時格納領域に格納するのみとし、ステップＳ３４７−１を実行した時点で始めてファイルＦＮ３を正規の格納領域にコピーするようにしてもよい。
【００６４】
ユーザ２のメッセンジャ・クライアント２０２は、ユーザ１のメッセンジャ・クライアント２０２が行うステップＳ３４１−１〜Ｓ３４８−１と同様なステップＳ３４１−２〜Ｓ３４８−２を行うので、その説明を省略する。
【００６５】
ユーザ１のメッセンジャ・クライアント２０２及びユーザ２のメッセンジャ・クライアントが上記のようにプレミアムの交換を行うので、ユーザ１とユーザ２との間で、交換しようとするプレミアムの一致が取れた場合にのみ、プレミアムの交換が行え、一方のユーザが勝手にプレミアムを交換してしまうことを防止することができる。
【００６６】
また、図１４に示すような方法によりプレミアム交換をしてもよい。
【００６７】
図１４を参照すると、ユーザ１のメッセンジャ・クライアントのみで送信プレミアムと受信プレミアムを指定し（ステップＳ３４１−１、Ｓ３４２−１）、指定された送信プレミアムと受信プレミアムを記述した交換メッセージをユーザ１のメッセンジャ・クライアントからユーザ２のメッセンジャ・クライアントに送信し（ステップＳ３４３−１）、それをユーザ２のメッセンジャ・クライアントで受信する（ステップＳ３５４）。ユーザ２のメッセンジャ・クライアントがその交換メッセージに記述されている送信プレミアムと受信プレミアムを表示し、ユーザ２がユーザ２のメッセンジャ・クライアントに交換許可の入力をしたか否かを判断する（ステップＳ３５５、Ｓ３５６）。
【００６８】
許可が無かった場合には、ユーザ２のメッセンジャ・クライアントは、拒否メッセージを送信して（ステップＳ３５７）、処理を終了する。
【００６９】
許可があった場合には、ユーザ２のメッセンジャ・クライアントは、ユーザ１のメッセンジャ・クライアントに交換許可のメッセージを送信し（ステップＳ３５８）、ステップＳ３６３に進む。
【００７０】
一方、ユーザ１のメッセンジャ・クライアントは、許可メッセージ又は拒否メッセージを受信し（ステップＳ３５９）、そのメッセージが許可メッセージであるのか又は拒否メッセージであるのかを判断し（ステップＳ３６０）、許可メッセージを受信している場合には、ステップＳ３６１に進み、拒否メッセージを受信している場合には処理を終了する。
【００７１】
ユーザ１のメッセンジャ・クライアントは、ステップＳ３６１では、プレミアムのファイルＦＮ１をユーザ２のメッセンジャ・クライアントに送信し、ステップＳ３６２では、プレミアムのファイルＦＮ３をユーザ２のメッセンジャ・クライアントから受信する。なお、ステップＳ３５５で許可が取れた後に、ユーザ１がファイルＦＮ１の送信を行わずに、ファイルＦＮ３の受信のみを行うような不正を行うことを回避するために、ユーザ１のメッセンジャ・クライアント２０２は、ステップＳ３６１の送信を行わなければ、ステップＳ３６２の受信を行うことができないようにしてもよい。
【００７２】
また、ステップＳ３６２を先に行い、ステップＳ３６１をその後に行うようにしてもよい。但し、この場合であっても、ステップＳ３５５で許可が取れた後に、ユーザ１がファイルＦＮ１の送信を行わずに、ファイルＦＮ３の受信のみを行うような不正を行うことを回避するために、ユーザ１のメッセンジャ・クライアント２０２は、ステップＳ３６２を実行した時点では、受信したファイルＦＮ３を一時格納領域に格納するのみとし、ステップＳ３６１を実行した時点で始めてファイルＦＮ３を正規の格納領域にコピーするようにしてもよい。  同様に、ユーザ２のメッセンジャ・クライアントは、ステップＳ３６３では、プレミアムのファイルＦＮ３をユーザ１のメッセンジャ・クライアントに送信し、ステップＳ３６４では、プレミアムのファイルＦＮ１をユーザ１のメッセンジャ・クライアントから受信する。なお、ステップＳ３５５で許可が取れた後に、ユーザ２がファイルＦＮ３の送信を行わずに、ファイルＦＮ１の受信のみを行うような不正を行うことを回避するために、ユーザ２のメッセンジャ・クライアント２０２は、ステップＳ３６３の送信を行わなければ、ステップＳ３６４の受信を行うことができないようにしてもよい。
【００７３】
また、ステップＳ３６４を先に行い、ステップＳ３６３をその後に行うようにしてもよい。但し、この場合であっても、ステップＳ３５５で許可が取れた後に、ユーザ２がファイルＦＮ３の送信を行わずに、ファイルＦＮ１の受信のみを行うような不正を行うことを回避するために、ユーザ２のメッセンジャ・クライアント２０２は、ステップＳ３６４を実行した時点では、受信したファイルＦＮ１を一時格納領域に格納するのみとし、ステップＳ３６３を実行した時点で始めてファイルＦＮ１を正規の格納領域にコピーするようにしてもよい。
【００７４】
以上、本発明の実施形態について説明したが、運用により、送信したプレミアムを自メッセンジャ・クライアントから削除することにより、プレミアムのコピーではなくプレミアムの移動としてもよい。又は、送信した回数が所定値以上に達したならば、それ以上送信できないようにすることにより、同一プレミアムのコピー数を制限してもよい。コピー数の制限のためには、例えば、プレミアムのファイルにコピー回数のプロパティの領域を持たせておき、メッセンジャ・クライアントがそのコピー回数を書き換えるようにする。そして、プレミアムの不正コピーを防止するためには、プレミアムのファイルをレポジトリ・ファイルで包み込んでしまい、コピー・コマンド等でプレミアム・ファイルを単独でコピーすることができないようにする。また、プレミアムを交換した場合には、送信したプレミアムを自メッセンジャ・クライアントから削除するようにしてもよい。更に、特定の種類のプレミアムについては送信及び交換ができないようにして、その種類のプレミアムの価値を高めるようにしてもよい。
【００７５】
また、図８及び図１１に示す画面を表示している最中に、２つのメッセンジャ・クライアントの間の通信により、相手のメッセンジャ・クライアントが保有するプレミアムを取得して、この画面に自メッセンジャ・クライアントが保有するプレミアム及び相手のメッセンジャ・クライアントが保有するプレミアムを表示するようにしてもよい。
【００７６】
更に、自己が保有するプレミアムのうちの１つのプレミアムを自己を表示するプレミアムと選択し、選択したプレミアムを図５の画面の参加者リスト中の自己のニックネームの隣に表示するようにしてもよい。このためには、選択したプレミアムについて図６に示す方法と同様の方法を行えばよい。
【００７７】
【発明の効果】
以上説明したように、本発明によれば、メッセンジャ・クライアントのチャットへの参加状態が所定の条件を満たしたならば、そのメッセンジャ・クライアントにプレミアムを付与するようにしたので、チャットを活性化し、書込みチャット文の数、書込み文字数等を増加させることができる。
【００７８】
また、プレミアムがファイル化されており、メッセンジャ・クライアントに送信するようにしたので、メッセンジャ・サーバを介さなくてもプレミアムをメッセンジャ・クライアント間で転送ができるので、サーバは、プレミアム転送のための複雑な処理を行わなくても済む。
【００７９】
また、各メッセンジャ・クライアントに付与された各プレミアムを複数のメッセンジャ・クライアントのチャット画面に表示するようにしたので、各メッセンジャ・クライアントのユーザがプレミアムを獲得するためのインセンティブを向上させることができる。
【００８０】
更に、プレミアムをチャット文中に挿入できるようにしたので、チャット文の表現力を高めることができる。
【００８１】
更に、プレミアムのメッセンジャ・クライアント間での転送や交換が可能なので、プレミアムにトレーディングカードや面子のような価値を与えることができる。
【００８２】
更に、プレミアムをチャットに導入することにより、チャットにゲーム感覚を与えることができる。
【図面の簡単な説明】
【図１】本発明の実施形態によるメッセンジャ・サーバ及びメッセンジャ・クライアントを含むメッセンジャ・システムの構成を示すブロック図である。
【図２】本発明の実施形態によるメッセンジャ・サーバのプレミアム付与のための全体の動作を示すフローチャートである。
【図３】本発明の実施形態によるメッセンジャ・サーバのプレミアム付与のための条件判定の動作を示すフローチャートである。
【図４】本発明の実施形態によるメッセンジャ・クライアントのプレミアム保存のための動作を示すフローチャートである。
【図５】本発明の実施形態によるメッセンジャ・クライアントがメッセンジャ・サーバを介して他のメッセンジャ・クライアントとチャットを行うときに表示する画面を示す図である。
【図６】本発明の実施形態によるメッセンジャ・サーバ及びメッセンジャ・クライアントがメッセンジャ・クライアントの画面にプレミアムを表示するための動作を示すフローチャートである。
【図７】本発明の実施形態によるメッセンジャ・クライアントが送信するチャット文のパケットの構成を示すフォーマット図である。
【図８】本発明の実施形態によるメッセンジャ・クライアントが他のメッセンジャ・クライアントと１対１でチャットを行うときに表示する第１の画面を示す図である。
【図９】本発明の実施形態によるメッセンジャ・クライアントがプレミアムを他のメッセンジャ・クライアントに送信するために表示する画面を示す図である。
【図１０】（ａ）及び（ｂ）は、共に、本発明の実施形態によるメッセンジャ・クライアントが表示するプレミアム・リストを示す図である。
【図１１】本発明の実施形態によるメッセンジャ・クライアントが他のメッセンジャ・クライアントと１対１でチャットを行うときに表示する第２の画面を示す図である。
【図１２】（ａ）及び（ｂ）は、共に、本発明の実施形態によるメッセンジャ・クライアントが他のメッセンジャ・クライアントとの間でプレミアムの交換をするために表示する画面を示す図である。
【図１３】本発明の実施形態による２つのメッセンジャ・クライアントが相互にプレミアムの交換をする第１の方法を示すフローチャートである。
【図１４】本発明の実施形態による２つのメッセンジャ・クライアントが相互にプレミアムの交換をする第２の方法を示すフローチャートである。
【図１５】従来例によるメッセンジャ・クライアントがメッセンジャ・サーバを介して他のメッセンジャ・クライアントとチャットを行うときに表示する画面を示す図である。
【図１６】従来例によるメッセンジャ・クライアントが他のメッセンジャ・クライアントと１対１でチャットを行うときに表示する画面を示す図である。
【図１７】従来例によるメッセンジャ・クライアントが他のメッセンジャ・クライアントにファイル送信をするときに表示する画面を示す図である。
【符号の説明】
２０１  メッセンジャ・サーバ
２０２−１、２０２−２、２０２−ｎ  メッセンジャ・クライアント
２０４  データベース
２０５  ネットワーク
【図１】
2004295570.tif 000003
【図２】
2004295570.tif 000004
【図３】
2004295570.tif 000005
【図４】
2004295570.tif 000006
【図５】
2004295570.tif 000007
【図６】
2004295570.tif 000008
【図７】
2004295570.tif 000009
【図８】
2004295570.tif 000010
【図９】
2004295570.tif 000011
【図１０】
2004295570.tif 000012
【図１１】
2004295570.tif 000013
【図１２】
2004295570.tif 000014
【図１３】
2004295570.tif 000015
【図１４】
2004295570.tif 000016
【図１５】
2004295570.tif 000017
【図１６】
2004295570.tif 000018
【図１７】
2004295570.tif 000019